【手続補正書】
【提出日】平成28年4月5日(2016.4.5)
【手続補正１】
【補正対象書類名】特許請求の範囲
【補正対象項目名】全文
【補正方法】変更
【補正の内容】
【特許請求の範囲】
【請求項１】
所定の制御手順に従って、遊技の制御を実行する制御手段と、
その制御手段による制御に用いるための制御データとして、遊技に関する設定を行うための設定先を示す複数の設定先データと、その複数の設定先データが示すそれぞれの設定先に設定するための設定値データとが規定された規定情報が少なくとも記憶された記憶手段と、
前記制御手段によって前記記憶手段から読み出されたデータが予め定められた特定データであるか否かを判別する制御データ判別手段とを備え、
前記制御手段は、
前記制御手順に従って、前記規定情報に規定された前記設定先データを読み出す制御と、読み出した前記設定先データが示す設定先に対して、前記読み出した設定先データに対応して前記規定情報に規定された前記設定値データを設定する制御とを繰り返し行う読出制御処理を実行する読出制御処理実行手段と、
その読出制御処理実行手段による前記読出制御処理の実行中に、前記規定情報から前記設定先データとして読み出されたデータが前記特定データであると前記制御データ判別手段により判別されたことに基づいて、前記読出制御処理を終了して、前記制御手順に従って実行される次の処理に移行させる処理移行手段とを備え、
前記読出制御処理実行手段は、前記規定情報から予め定められた順序でデータを読み出すものであることを特徴とする遊技機。
【請求項２】
前記制御手段を収納することが可能な収納ボックスを有することを特徴とする請求項１記載の遊技機。
【手続補正２】
【補正対象書類名】明細書
【補正対象項目名】０００２
【補正方法】変更
【補正の内容】
【０００２】
パチンコ機等の遊技機には、始動入賞口への遊技球の入賞に基づいて行われる抽選の結果が当たりだった場合に、当たり状態へと移行するものがある。かかる遊技機では、当たり状態に移行する際や、その当たり状態を終了する際等に、複数の設定値を設定している。また、設定値の設定方法としては、例えば、設定値の個数を制御プログラムに規定しておき、その設定値の個数分だけ設定値の設定を行う制御を繰り返す方法が挙げられる。
【手続補正３】
【補正対象書類名】明細書
【補正対象項目名】０００４
【補正方法】変更
【補正の内容】
【０００４】
しかしながら、かかる遊技機では、設定値を好適に設定することができなくなってしまう虞があった。
【手続補正４】
【補正対象書類名】明細書
【補正対象項目名】０００５
【補正方法】変更
【補正の内容】
【０００５】
本発明は、上記例示した問題点等を解決するためになされたものであり、設定値を好適に設定できる遊技機を提供することを目的としている。
【手続補正５】
【補正対象書類名】明細書
【補正対象項目名】０００６
【補正方法】変更
【補正の内容】
【０００６】
この目的を達成するために請求項１記載の遊技機は、所定の制御手順に従って、遊技の制御を実行する制御手段と、その制御手段による制御に用いるための制御データとして、遊技に関する設定を行うための設定先を示す複数の設定先データと、その複数の設定先データが示すそれぞれの設定先に設定するための設定値データとが規定された規定情報が少なくとも記憶された記憶手段と、前記制御手段によって前記記憶手段から読み出されたデータが予め定められた特定データであるか否かを判別する制御データ判別手段とを備え、前記制御手段は、前記制御手順に従って、前記規定情報に規定された前記設定先データを読み出す制御と、読み出した前記設定先データが示す設定先に対して、前記読み出した設定先データに対応して前記規定情報に規定された前記設定値データを設定する制御とを繰り返し行う読出制御処理を実行する読出制御処理実行手段と、その読出制御処理実行手段による前記読出制御処理の実行中に、前記規定情報から前記設定先データとして読み出されたデータが前記特定データであると前記制御データ判別手段により判別されたことに基づいて、前記読出制御処理を終了して、前記制御手順に従って実行される次の処理に移行させる処理移行手段とを備え、前記読出制御処理実行手段は、前記規定情報から予め定められた順序でデータを読み出すものである。
【手続補正６】
【補正対象書類名】明細書
【補正対象項目名】０００７
【補正方法】変更
【補正の内容】
【０００７】
請求項２記載の遊技機は、請求項１記載の遊技機において、前記制御手段を収納することが可能な収納ボックスを有する。
【手続補正７】
【補正対象書類名】明細書
【補正対象項目名】０００８
【補正方法】削除
【補正の内容】
【手続補正８】
【補正対象書類名】明細書
【補正対象項目名】０００９
【補正方法】変更
【補正の内容】
【０００９】
本発明の遊技機によれば、所定の制御手順に従って、遊技の制御を実行する制御手段と、その制御手段による制御に用いるための制御データとして、遊技に関する設定を行うための設定先を示す複数の設定先データと、その複数の設定先データが示すそれぞれの設定先に設定するための設定値データとが規定された規定情報が少なくとも記憶された記憶手段と、前記制御手段によって前記記憶手段から読み出されたデータが予め定められた特定データであるか否かを判別する制御データ判別手段とを備え、前記制御手段は、前記制御手順に従って、前記規定情報に規定された前記設定先データを読み出す制御と、読み出した前記設定先データが示す設定先に対して、前記読み出した設定先データに対応して前記規定情報に規定された前記設定値データを設定する制御とを繰り返し行う読出制御処理を実行する読出制御処理実行手段と、その読出制御処理実行手段による前記読出制御処理の実行中に、前記規定情報から前記設定先データとして読み出されたデータが前記特定データであると前記制御データ判別手段により判別されたことに基づいて、前記読出制御処理を終了して、前記制御手順に従って実行される次の処理に移行させる処理移行手段とを備え、前記読出制御処理実行手段は、前記規定情報から予め定められた順序でデータを読み出すものである。
【手続補正９】
【補正対象書類名】明細書
【補正対象項目名】００１０
【補正方法】変更
【補正の内容】
【００１０】
これにより、設定値データを好適に設定できるという効果がある。
【手続補正１０】
【補正対象書類名】明細書
【補正対象項目名】００１１
【補正方法】削除
【補正の内容】
【手続補正１１】
【補正対象書類名】明細書
【補正対象項目名】００１２
【補正方法】削除
【補正の内容】
【手続補正１２】
【補正対象書類名】明細書
【補正対象項目名】００１３
【補正方法】削除
【補正の内容】
【手続補正１３】
【補正対象書類名】明細書
【補正対象項目名】００１４
【補正方法】削除
【補正の内容】
【手続補正１４】
【補正対象書類名】明細書
【補正対象項目名】０５１１
【補正方法】変更
【補正の内容】
【０５１１】
前記各遊技機は、パチンコ遊技機とスロットマシンとを融合させたものであることを特徴とする遊技機Ｚ３。中でも、融合させた遊技機の基本構成としては、「複数の識別情報からなる識別情報列を動的表示した後に識別情報を確定表示する可変表示手段を備え、始動用操作手段（例えば操作レバー）の操作に起因して識別情報の変動が開始され、停止用操作手段（例えばストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備え、遊技媒体として球を使用すると共に、前記識別情報の動的表示の開始に際しては所定数の球を必要とし、特別遊技状態の発生に際しては多くの球が払い出されるように構成されている遊技機」となる。
＜その他＞
パチンコ機等の遊技機には、始動入賞口への遊技球の入賞に基づいて行われる抽選の結果が当たりだった場合に、当たり状態へと移行するものがある。かかる遊技機では、当たり状態に移行する際や、その当たり状態を終了する際等の遊技状態を変更する場合に、変更後の遊技状態に対応する複数の設定値に対して、初期値である所定値を設定している。また、初期値の設定方法としては、設定値の個数を制御プログラムに規定しておき、その設定値の個数分だけ初期値の設定を行う制御を繰り返す方法が挙げられる（例えば、特許文献１：特開２００１−２７６３６５号公報）。
しかしながら、かかる遊技機では、機種が異なると、当たり状態や、当たりが終了した後の状態の態様が異なる場合があるので、遊技状態を変更する際に設定すべき設定値の個数が機種によって変化してしまう虞がある。よって、設定値の個数が異なる他の機種に制御プログラムを適用する際は、設計者が、適用しようとする機種毎に設定値の個数を数え、制御プログラムに繰り返し回数を規定し直す必要があった。このため、設計者のミスによって制御プログラムに誤った繰り返し回数が規定されてしまうと、全ての初期値を設定することができず、遊技状態の変更後に遊技機が誤動作してしまう虞があった。
本技術的思想は、上記例示した問題点を解決するためになされたものであり、遊技機が誤動作することを抑制できる遊技機を提供することを目的としている。
＜手段＞
この目的を達成するために技術的思想１の遊技機は、所定の制御手順に従って、遊技の制御を実行する制御手段と、その制御手段によって、読み出される制御データが記憶された記憶手段と、前記制御手段によって読み出された制御データが予め定められた特定データであるか否かを判別する制御データ判別手段とを備え、前記制御手段は、前記制御手順に従って、前記制御データの読み出しと、その読み出した制御データに基づく制御とを繰り返し行う処理である読出制御処理を実行する場合には、読み出した制御データが前記特定データであると前記制御データ判別手段により判別されたことに基づいて、前記読出制御処理を終了して、前記制御手順に従って実行される次の処理に移行させるものである。
技術的思想２の遊技機は、技術的思想１記載の遊技機において、前記制御データには、遊技に関する設定を行う設定先を示す設定先データと、その設定先データが示す設定先に設定するための設定用データとが交互に規定されているものであり、前記読出制御処理は、前記制御データに規定されている順番にデータを読み出して、読み出された設定先データが示す設定先に、次に読み出される設定用データを設定するものである。
技術的思想３の遊技機は、技術的思想２記載の遊技機において、遊技状態を変更するか否かを判別する状態変更判別手段を備え、前記制御データは、遊技状態に関する各種の設定値が前記設定用データとして規定されているものであり、前記状態変更判別手段によって遊技状態を変更すると判別された場合に、前記読み出し制御処理を実行するものである。
＜効果＞
技術的思想１記載の遊技機によれば、所定の制御手順に従って、制御手段により遊技の制御が実行され、制御手段により読み出される制御データが記憶手段に記憶され、その読み出された制御データが予め定められた特定データであるか否かが制御データ判別手段により判別される。制御手段によって、制御データの読み出しと、その読み出した制御データに基づく制御とを繰り返し行う読出制御処理が実行される場合には、読み出した制御データが予め定められた特定データであると制御データ判別手段により判別されたことに基づいて、読出制御処理が終了され、制御手順に従って実行される次の処理に移行される。
これにより、読出制御処理において、特定データが読み出されれば次の処理に移行するので、制御データの読み出しと、その読み出した制御データに基づく制御とを何回繰り返すのかを規定しておく必要が無い。よって、繰り返し回数の規定ミスによって、読出制御処理によって行われるべき繰り返し回数と異なる回数の制御が実行されてしまうことを抑制することができる。従って、遊技機が誤作動してしまうことを抑制できるという効果がある。
技術的思想２記載の遊技機によれば、技術的思想１記載の遊技機の奏する効果に加え、次の効果を奏する。即ち、遊技に関する設定を行う設定先を示す設定先データと、その設定先データが示す設定先に設定するための設定用データとが、制御データに交互に規定されている。その制御データに規定されている順番に、読出制御処理によってデータが読み出され、読み出された設定先データが示す設定先に、次に読み出される設定用データが設定される。
これにより、データの読み出しの際に、制御データに規定されているデータのうち、いずれのデータを次に読み出すべきか判断するという処理を行う必要が無いので、制御手段の処理負荷を軽減することができるという効果がある。
技術的思想３記載の遊技機によれば、技術的思想２記載の遊技機の奏する効果に加え、次の効果を奏する。即ち、遊技状態を変更するか否かが状態変更判別手段によって判別される。遊技状態に関する各種の設定値が設定用データとして制御データに規定されている。状態変更判別手段によって遊技状態を変更すると判別された場合に、制御手段によって読出制御処理が実行される。
これにより、遊技状態が変更される場合に、設定されるべき設定値が設定されずに遊技機が誤作動してしまうことを抑制できるという効果がある。
【手続補正１５】
【補正対象書類名】明細書
【補正対象項目名】０５１２
【補正方法】変更
【補正の内容】
【０５１２】
１０                  パチンコ機（遊技機）
１１０                主制御装置（制御手段）
２０２                ＲＯＭ（記憶手段）
Ｓ１３１２            読出制御処理
Ｓ１４０２            制御データ判別手段、処理移行手段